(57)【特許請求の範囲】
【請求項１】
フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、
前記植物苗床総枠部の側面に、上方に伸びるガイド部材あるいは下方向に伸びるガイド部材が設けられていることを特徴とする植物栽培用筏。
【請求項２】
フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、
前記植物苗床総枠部の側面に、上方に伸びるガイド部材及び下方向に伸びるガイド部材が設けられていることを特徴とする植物栽培用筏。
【請求項３】
フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、
前記筏本体の植物苗床収容部の側面に、上方に伸びるガイド部材あるいは下方向に伸びるガイド部材が設けられていることを特徴とする植物栽培用筏。
【請求項４】
フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、
前記筏本体の植物苗床収容部の側面に、上方に伸びるガイド部材及び下方向に伸びるガイド部材が設けられていることを特徴とする植物栽培用筏。
【請求項５】
前記ガイド部材は、植物苗床総枠部の側面あるいは植物苗床総枠部の側面の角部に設けられていることを特徴とする請求項１乃至請求項４のいずれかに記載された植物栽培用筏。
【発明の詳細な説明】
【技術分野】
【０００１】
本発明は植物栽培用筏に関し、詳しくは、植物を好適に栽培することができる植物栽培用筏に関する。
【背景技術】
【０００２】
最近、汚染された内水面、湖沼、調整池等において、植物栽培用の筏を用いて、植物を水耕栽培し、内水面、湖沼、調整池等を浄化する試みがなされている。
このような植物栽培用筏としては、例えば、登録実用新案公報第３０８４５１６号において提案されている。
【０００３】
この提案された植物栽培用筏について、図４乃至図７に基づいて説明する。なお、図４は、筏本体の平面図、図５は前記筏本体に収容される植物苗床総枠を示した図であって、（ａ）は平面図、（ｂ）は断面図である。また図６は、苗床篭を示す平面図、図７は、筏本体上に苗床総枠が乗り上げた状態を示す図であって、（ａ）は平面図、（ｂ）は断面図である。
【０００４】
図４に示すように、筏本体１０は、歩行部１１、植物苗床収容部１２、バランス部１３と備え、前記バランス部１３を中心に図面上、上下対称に歩行部１１、植物苗床収容部１２が設けられ、連結枠部１４によって一体に形成されている。また、歩行部１１、バランス部１３には、作業者が歩行可能に、板１１ａ、１３ａが敷き詰められている。
【０００５】
また、図示しないが、前記歩行部１１及びバランス部１３の下方には、筏本体１０の浮力を得るためのフロートとして、複数のポリタンクが設置されている。したがって、この筏本体１０は前記フロートの浮力により、内水面、湖沼、調整池等に浮かんだ状態になすことができる。なお、前記筏本体１０には、水面上を浮遊しないように係留装置１７が設けられており、一定の場所に係留できるように構成されている。
【０００６】
また、図４では、前記植物苗床総枠部１５はその外形を仮想線で示しているが、実際には図５に示した植物苗床総枠部１５が、連結枠部１４、歩行部１１、バランス部１３の間に形成された植物苗床収容部１２に収納されるように構成されている。
即ち、前記植物苗床総枠部１５は、筏本体１０と別体に形成され、しかも筏本体１０に形成された植物苗床収容部１２に収納されるように、前記植物苗床収容部１２よりも小さく形成されている。しかも、前記植物苗床総枠部１５の長手方向の両側には、フロート１５ａとしてのポリタンクが設置され、この植物苗床総枠部１５単体で、前記フロート１５ａの浮力により、内水面、湖沼、調整池等に浮かんだ状態になすことができるように構成されている。
【０００７】
更に、植物苗床総枠部１５は、図６に示す苗床篭１６が載置可能に、板１５ｂが所定の間隔をおいて設けられている。前記苗床篭１６の底面１６ａはネット状に形成され、植物の根が水中に成長できるように形成されている。
したがって、苗床篭１６を植物苗床総枠部１５に対して、設置あるいは取り外すことによって、種蒔き、収穫、撤収を行なう。
【０００８】
このように構成された筏にあっては、歩行部１１の下方にフロートが設けられているため、バランス部１３を中心に水平バランスを保つことができ、筏上での作業を容易になすことができる。しかも、植物苗床総枠部１５が、筏本体１０と別体に形成され、しかも筏本体１０に形成された植物苗床収容部１２に収納される。
その結果、作業者が筏本体１０上を移動した際、筏本体１０が上下動しても、植物苗床総枠部１５は上下動することがなく、前記苗床篭１６は水面に対して一定の位置に置かれ、苗床篭１６に収容されている植物等が水に漬かるのを防止している。
【０００９】
【特許文献１】登録実用新案公報第３０８４５１６号
【発明の開示】
【発明が解決しようとする課題】
【００１０】
ところで、前記したように、植物苗床総枠部１５は筏本体１０と別体に形成され、筏本体１０に形成された植物苗床収容部１２に収納されている。したがって、通常の場合、作業者が筏本体１０上を移動しても、筏本体１０が上下動するだけで、前記植物苗床総枠部１５は、一定の状態を維持し、植物苗床収容部１２内に留まっている。
【００１１】
しかしながら、例えば、作業者が激しく移動した場合、あるいは多くの作業者が筏本体１０に乗った場合、あるいはまた水面に高い波が生じている場合等、筏本体１０の上下動が大きい場合には、図７に示すように前記植物苗床総枠部１５は植物苗床収容部１２からはみだし、筏本体１０の連結枠部１４等に乗り上げてしまうことがあった。
このように、植物苗床総枠部１５が筏本体１０の連結枠部１４等に乗り上げた場合、図７（ｂ）に示すように、苗床篭１６内の植物が水面から離れ、前記植物が枯れる等の虞があった。なお、図７（ａ）（ｂ）にあっては、前記苗床篭１６の図示を省略している。
【００１２】
本発明は上記した課題を解決するためになされたものであり、筏本体と別体に形成され、植物苗床総枠部を備える筏であって、前記植物苗床総枠部が筏本体に、また筏本体が植物苗床総枠部に乗り上げることがない植物栽培用筏を提供することを目的とするものである。
【課題を解決するための手段】
【００１３】
上記した目的を達成するためになされた本発明にかかる植物栽培用筏は、フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、前記植物苗床総枠部の側面に、上方に伸びるガイド部材あるいは下方向に伸びるガイド部材が設けられていることを特徴としている。
【００１４】
このように、前記植物苗床総枠部の側面に、上方に伸びるガイド部材あるいは下方向に伸びるガイド部材が設けられているため、筏本体が植物苗床総枠部に、あるいは植物苗床総枠部が筏本体に乗り上げることなく、前記植物苗床総枠部は水面に対して一定の位置に置かれる。その結果、植物苗床総枠部に収容されている植物等が水に漬かり、あるいは植物が水面から離れ、植物が枯れるという弊害を防止できる。
【００１５】
また、植物苗床総枠部の側面には、上方に伸びるガイド部材及び下方向に伸びるガイド部材が設けられていることが望ましい。
このように、上方に伸びるガイド部材及び下方向に伸びるガイド部材が設けられているため、前記した乗り上げをより防止できる。
【００１６】
上記した目的を達成するためになされた本発明にかかる植物栽培用筏は、フロートを備える筏本体と、前記筏本体と別体に形成されかつフロートを備えた、植物が収容される植物苗床総枠部とを有し、前記植物苗床総枠部が、筏本体に形成された植物苗床収容部に収容される植物栽培用筏であって、前記筏本体の植物苗床収容部の側面に、上方に伸びるガイド部材あるいは下方向に伸びるガイド部材が設けられていることを特徴としている。
このように、ガイド部材を筏本体の植物苗床収容部の側面に設けても、筏本体が植物苗床総枠部に、あるいは植物苗床総枠部が筏本体に乗り上げることなく、前記植物苗床総枠部は水面に対して一定の位置に置くことができる。
【００１７】
ここで、前記筏本体の植物苗床収容部の側面には、上方に伸びるガイド部材及び下方向に伸びるガイド部材が設けられていることが望ましい。
このように、上方に伸びるガイド部材及び下方向に伸びるガイド部材が設けられているため、前記した乗り上げをより防止できる。
【００１８】
更に、前記ガイド部材は、植物苗床総枠部の側面あるいは植物苗床総枠部の側面の角部に設けられていることが望ましい。
【発明の効果】
【００１９】
本発明によれば、例えば、作業者が激しく移動した場合、多くの作業者が筏本体に乗った場合、水面に高い波が生じている場合等、筏本体の上下動が大きい場合にも、筏本体が上下動するだけで、前記植物苗床総枠部は一定の状態を維持し、植物苗床収容部内に留めることができる。
したがって、前記植物苗床総枠部が植物苗床収容部からはみだし、前記植物苗床総枠部が筏本体の連結枠部に、また筏本体が植物苗床総枠部に乗り上げるのを防止でき、苗床篭内の植物が植物等が水に漬かり、あるいは植物が水面から離れ、植物が枯れるという弊害を防止できる。
【発明を実施するための最良の形態】
【００２０】
本発明にかかる植物栽培用筏の第一の実施形態について図１に基づいて説明する。尚、図１は前記筏本体に収容される植物苗床総枠を示した図であって、図５に相当する図であり、（ａ）は平面図、（ｂ）は断面図である。
この実施形態にあっては、植物苗床総枠に特徴があり、筏本体は従来のものと変わりがない。したがって、ここでは筏本体の構成の説明は省略し、植物苗床総枠の構成について詳述する。
【００２１】
この植物苗床総枠部１においても、従来の植物苗床総枠部１５と同様に、連結枠部１４の間に形成された植物苗床収容部１２に収納されるように構成されている。
即ち、前記植物苗床総枠部１は、筏本体１０と別体に形成され、しかも筏本体１０に形成された植物苗床収容部１２に収納されるように、前記植物苗床収容部１２よりも小さく形成されている。しかも、前記植物苗床総枠部１の長手方向の両側には、フロート２としてのポリタンクが設置され、この植物苗床総枠部１単体で、前記フロート２の浮力により、内水面、湖沼、調整池等に浮かんだ状態になすことができるように構成されている。
【００２２】
更に、植物苗床総枠部１は、図６に示す苗床篭１６が載置可能に、板１ｂが所定の間隔をおいて設けられている。
また、前記植物苗床総枠１の長手方向の側面の四つの角部には、上方に伸びるガイド部材３が設けられている。これにより、筏本体１０の上下動が大きい場合にも、筏本体１０が前記ガイド部材３に案内され上下動するため、筏本体１０が植物苗床総枠部１に乗り上げることはない。その結果、前記植物苗床総枠部１５は一定の状態を維持し、植物苗床収容部１２内に留められる。
【００２３】
前記ガイド部材３は長い程、筏本体１０の植物苗床総枠部１の乗り上げを抑制できる。
しかし、作業者にとって作業の障害になるため、かかる点からすれば短い方が良い。実際には、植物苗床総枠部１の上方２０ｃｍ〜６０ｃｍの範囲にガイド部材３を設けるのが好ましい。
【００２４】
また、図２に示すように、前記ガイド部材３を植物苗床総枠部１の下方（水面下）に形成しても良い。この場合においては、植物苗床総枠部１が筏本体１０に乗り上げるのを抑制できる。この場合、前記ガイド部材３は水面下に形成されるため、前記したような作業上の理由による長さの制限は無く、長いほど良い。
【００２５】
更に、図示しないが、前記ガイド部材３を植物苗床総枠部１の上方及び下方（水面下）に形成するのが最も好ましい。この場合においては、植物苗床総枠部１が筏本体１０に乗り上げるのを抑制できるほか、筏本体１０が植物苗床総枠部１に乗り上げるのを抑制できる。
前記ガイド部材３は、植物苗床総枠部１を中心に上方及び下方に、夫々、２０ｃｍ〜６０ｃｍの範囲に設けるのが好ましい。
【００２６】
このように構成された筏にあっては、植物苗床総枠部１が、筏本体１０と別体に形成され、しかも筏本体１０に形成された植物苗床収容部１２に収納される。
その結果、作業者が筏本体１０上を移動した際、筏本体１０が大きく上下動しても、植物苗床総枠部１は上下動することがなく、更に、筏本体１０が植物苗床総枠部１に、あるいは植物苗床総枠部１が筏本体１０に乗り上げることなく、前記苗床篭１６は水面に対して一定の位置に置かれる。その結果、苗床篭１６に収容されている植物等が水に漬かるのを防止することができる。
【００２７】
次に、第二の実施形態について、図３に基づいて説明する。尚、図３は前記筏本体を示した平面図であって、図４に相当する図である。
この実施形態にあっては、筏本体に特徴があり、植物苗床総枠１５は従来のものと変わりがない。したがって、ここでは植物苗床総枠１５の構成の説明は省略し、筏本体の構成について詳述する。尚、筏本体の構成において従来の筏本体の構成と同一の構成については、同一符号を付する。
【００２８】
図３に示すように、筏本体５は、従来の筏本体１０と同様に、歩行部１１、植物苗床収容部１２、バランス部１３と備え、前記バランス部１３を中心に図面上、上下対称に歩行部１１、植物苗床収容部１２が設けられ、連結枠部１４によって一体に形成されている。また、歩行部１１、バランス部１３には、作業者が歩行可能に、板１１ａ、１３ａが敷き詰められている。
【００２９】
また、図示しないが、前記歩行部１１及びバランス部１３の下方には、筏本体５の浮力を得るためのフロート４として、複数のポリタンクが設置されている。したがって、この筏本体５は前記フロート４の浮力により、内水面、湖沼、調整池等に浮かんだ状態になすことができる。なお、前記筏本体５には、水面上を浮遊しないように係留装置１７が設けられており、一定の場所に係留できるように構成されている。
【００３０】
また、図４では、前記植物苗床総枠部１５は省略されており、実際には図５に示した植物苗床総枠部１５が、連結枠部１４の間に形成された植物苗床収容部１２に収納されるように構成されている。
即ち、前記植物苗床総枠部１５は、筏本体１０と別体に形成され、しかも筏本体１０に形成された植物苗床収容部１２に収納されるように、前記植物苗床収容部１２よりも小さく形成されている。しかも、前記植物苗床総枠部１５の長手方向の両側には、フロート１５ａとしてのポリタンクが設置され、この植物苗床総枠部１５単体で、前記フロート１５ａの浮力により、内水面、湖沼、調整池等に浮かんだ状態になすことができるように構成されている。
【００３１】
また、連結枠部１４の植物苗床収容部１２側面の角部には、上方に伸びるガイド部材６が設けられている。これにより、筏本体５の上下動が大きい場合にも、筏本体５が上下動するだけで、筏本体５に植物苗床総枠部１５が乗り上げることはない。その結果、前記植物苗床総枠部１５は一定の状態を維持し、植物苗床収容部１２内に留められる。
【００３２】
前記ガイド部材６は長い程、筏本体１０への植物苗床総枠部１の乗り上げを抑制できる。しかし、作業者にとって作業の障害になるため、かかる点からすれば短い方が良い。実際には、筏本体の上方４０ｃｍ〜６０ｃｍの範囲にガイド部材３を設けるのが好ましい。
【００３３】
また、前記ガイド部材６を筏本体５の下方（水面下）に形成しても良い。この場合においては、筏本体５が植物苗床総枠部１に乗り上げるのを抑制できる。この場合、前記ガイド部材６は、水面下に形成されるため、その長さの制限は無く、長いほど良い。
【００３４】
更に、図示しないが、前記ガイド部材６を筏本体の上方及び下方（水面下）に形成するのが最も好ましい。この場合においては、植物苗床総枠部１５が筏本体５に乗り上げるのを抑制できるほか、筏本体５が植物苗床総枠部１５に乗り上げるのを抑制できる。
【００３５】
このように構成された筏にあっては、第一の実施形態と同様に、しかも、植物苗床総枠部１５が、筏本体５と別体に形成され、しかも筏本体５に形成された植物苗床収容部１２に収納される。
その結果、作業者が筏本体５上を移動した際、筏本体５が大きく上下動しても、植物苗床総枠部１５は上下動することがなく、更に、筏本体５が植物苗床総枠部１５に、あるいは植物苗床総枠部１５が筏本体５に乗り上げることなく、前記苗床篭１６は水面に対して一定の位置に置かれる。
したがって、前記植物苗床総枠部１５は植物苗床収容部１２からはみだし、筏本体５の連結枠部１４等に乗り上げるのを防止でき、苗床篭１６内の植物が水に漬かり、また水面から離れ、枯れるのを防止できる。
【産業上の利用可能性】
【００３６】
本発明は、筏本体が大きく上下動しても、植物苗床総枠部は上下動することがなく、更に、筏本体が植物苗床総枠部に、あるいは植物苗床総枠部が筏本体に乗り上げることなく、前記苗床篭は水面に対して一定の位置に置かれる。その結果、例えば、苗床篭に収容されている植物等が水に漬かるのを防止することができ、また苗床篭内の植物が枯れるのを防止できる。
【図面の簡単な説明】
【００３７】
【図１】図１は、本発明にかかる第一の実施形態を示した、筏本体に収容される植物苗床総枠を示した図であって、（ａ）は平面図、（ｂ）は断面図である。
【図２】図２は、図１に示した実施形態の変形例であって、植物苗床総枠を示した断面図である。
【図３】図３は、本発明にかかる第二の実施形態を示した図であって、筏本体を示した平面図である。
【図４】図４は、従来の筏本体を示した平面図である。
【図５】図５は、従来の筏本体に収容される植物苗床総枠を示した図であって、（ａ）は平面図、（ｂ）は断面図である。
【図６】図６は、苗床篭を示す平面図である。
【図７】図７は、筏本体上に苗床総枠が乗り上げた状態を示す図であって、（ａ）は平面図、（ｂ）は断面図である。
【符号の説明】
【００３８】
１      植物苗床総枠部
２      フロート
３      ガイド部材
４      フロート
５      筏本体
６      ガイド部材
１０    筏本体
１１    歩行部
１２    植物苗床収納部
１３    バランス部
１４    連結枠部
１５    植物苗床総枠部
１７    係留装置
【要約】
【課題】  筏本体と別体に形成され、植物苗床総枠部を備える筏であって、前記植物苗床総枠部が筏本体に、また筏本体が植物苗床総枠部に乗り上げることがない植物栽培用筏を提供する。
【解決手段】  フロートを備える筏本体と、前記筏本体と別体に形成されかつフロート２を備えた、植物が収容される植物苗床総枠部１とを有し、前記植物苗床総枠部１が、筏本体に形成された植物苗床収容部に収容される植物栽培用筏であって、前記植物苗床総枠部１の側面に、上方に伸びるガイド部材３あるいは下方向に伸びるガイド部材が設けられていることを特徴としている。
【選択図】  図１
【図１】
0003691051.tif 000002
【図２】
0003691051.tif 000003
【図３】
0003691051.tif 000004
【図４】
0003691051.tif 000005
【図５】
0003691051.tif 000006
【図６】
0003691051.tif 000007
【図７】
0003691051.tif 000008